(57)【要約】      （修正有）【課題】従来の介護リフトは被介護者が足を動かさないリフトでリハビリにはならず、又リフトの重で被介護者が自力でうごけない。【解決手段】上端と下端にベアリング台座１４Ａを持つシャフトをベースコンクリートから立ち上げる矢倉に載せる梁と家の梁に取り付ける金物とで上下両端を強固に固定しシャフトがベアリングで回転するようにし、開放された両端に少し出るように滑車が取り付けてあり、シャフトの下端はパイプ１８Ａでありそれに縦長の穴がパイプ内まで繋がり、を短尺の不当辺角官の開口部を縦長の穴に塞ぐように溶接しその角官内に長尺の不当辺角官をいれ、シャフト天井下と吊り上げる先端に近い位置引張棒でつなぎ、角間を介して人と歩行可能体重軽減水やゴム球をいれた袋１０が天秤になり立つ事や座る事や歩く事ができ袋の周りの大口径パイプ５に水を出し入れし電動で操作できるようにした。【選択図】図１
2008110186.tif 000002
【特許請求の範囲】
【請求項１】
家の梁にボルト止めされた金物にベアリング台座を固定し、梁の側面に沿い垂直なシャフトの上端にベアリングを嵌めこみ短尺パイプで中ほどに外径から内径に達する縦長の穴をもち短尺パイプの上端はシャフトの下端に差し入れて溶接し、短尺パイプ下端の外径にはベアリング台座をはめ込み、ベースコンクリートから立ち上げる矢倉の上に梁を載せ、その梁にシャフト下端のベアリング台座をボルトで固定する事で、ベアリングで自在に回転するシャフトは上下を強固に固定される、開口された両端から少し出るように滑者を内に取り付けた長尺で不当辺角官を、滑車がシャフト下端の縦長の穴に当たる寸前まで短尺で不当辺角官内に差し入れて、その重なる角官をボルトで貫通し連結する、両端にボルト穴があき中間にシャフトの外径寸法の穴をもつ物差し状の引張棒支持板を天井に近いところでシャフトに取り付け、長尺で不当辺角官の先端に近い位置でコの字状の金物を下から押し当てて取り付け、天井下のシャフトに取り付けた引張棒支持板と角官に取り付けたコの字状の金物に２本の引張補強棒でボルト止めしそのボルト止めの結合点で、シャフトと引張補強棒と長尺の不当辺角官は三角形をなし、被介護者が着ける装着具を吊り下げるワイヤーはアームの先端の滑車を経てアーム内を通りもう一方の滑車を経て縦長の穴に入り、シャフト下端に取り付けたパイプの中心を下がりベアリングで連結されワイヤー連結部品に止められる、連結部品からは４本の紐で歩行可能体重軽減水とゴム球の入れられた防水袋につながれている、防水袋の外径より大きい内径のをもつ大口径パイプを基礎のベースコンクリートから立ち上げ大口径パイプ下端からは給水パイプを内部にいれ、家の床ほどの高さで大口径パイプの横に穴をあけ排水パイプを差し込んで溶接し大口径パイプの足元はコンクリートで固める、ゴム球の入れられた袋に水が無い状態で装着具を着用し袋に水を入れていくとある水量で立つ事や、座る事が出来るようになりその水量に５０００ＣＣを増加した重さを仮に歩行可能体重軽減水と表現し常時大口径パイプ内に吊り下げられているものとする、大口径パイプ内に水が充満している時、袋は中の水の重さとゴム球の浮力で上下せずワイヤーで連結する装着具も上下しない、ベッド横のスイッチを押し、自動操作バルブは開き大口径パイプ内の水は排水パイプから大口径パイプの足元へ大回りし下り勾配の貯水パイプ内に貯えられ、大口径パイプ内に水がなくなると袋は下がり装着具をつけた被介護者は立ち上がり、ベッドに座りスイチを押すと自動操作バルブは閉まりタイマーをセットした揚水ポンプは貯水パイプの水を汲み上げタイマーで自動停止し逆自弁で大口径内の水はとどまり人体装着具は上下しなくなる、被介護者の円歩行に対して歩行可能体重軽減水の袋がゼロ支点である事が特徴で上下両端をベアリング回紜で自在な重たいシャフトもゼロ支点から半径２０ミリ以内にある歩行するうえにおい体感抵抗の少ないリハビリ用介護リフト。
【発明の詳細な説明】
【技術分野】
【０００１】本発明は取り付け取り外しの出来る介護リフトで、被介護者とワイヤーで繋がり、歩行可能体重軽減水入りの袋は被介護者に対しゼロミリの支点の位置にあり歩行者の負担にならず、重たいシャフトも家に梁とベースコンクリートから立ち上がる矢倉の上の梁に固定されなおかつ半径は支点から２０ミリ程度なので、シャフトのベアリング回転による円歩行は負担にならず、日々がリハビリになる。
【技術背景】
【０００２】従来の介護リフトは装置全体を動かす為、被介護者が一人で動けず、介護者が動かす時も大きな力が要る、（例えば、特許公開、平０８−８９５３４）
【０００３】従来の介護リフトは被介護者の全体重を吊り上げる為、必ず介護者の付き添いを必要とし、足を使う事が無くリハビリにならない、（例えば、特許公開２０００−１６６６９９３）
【発明の開示】
【発明が解決しようとする課題】
【０００４】以上に述べた従来の介護リフトでは被介護者が一人での移動が困難であり介護者の負担も大きい。【０００５】本発明は、このような従来の介護リフトが抱えていた問題を解決しようとするものである、被介護者とワイヤーで繋がる最適な歩行可能体重軽減水を電動で提供するとか消滅するとかが出来るリハビリ用介護リフトを提供する事を目的とするものである。
【問題を解決するための手段】
【０００６】そして、本発明は上記目的を達性するために家の梁にボルト止めされた金物にベアリング台座を固定し、梁の側面に沿い垂直のシャフトの上端ベアリング台座を嵌めこみ短尺パイプの中ほどに外形から内径に達する縦長の穴をもつパイプの上端内にシャフトを差しこみ、溶接しパイプ下端の外径はベアリング台座を嵌めこみ、ベースコンクリートから立ち上げる矢倉の上に載せた梁にベアリング台座をボルトで止め、シャフトは強固にこていされる、両端が開口された短尺で不当辺角官の開口部を縦長の穴を塞ぐように当ててようせつし、開口された両端から少し出るように滑車を内部に取り付けた不当辺角官を、滑車が縦長の穴に当たる寸前まで短尺で不当辺角官内に差し入れて、その重なり部分をボルトで貫通し連結する、両端にボルト穴があり中間にシャフトの外径と同寸法の穴をもつ物差し状の引張棒支持板を天井に近い位置でシャフトに取り付け長尺で不当辺角官の外寸法重なるコの字状の金物をアーム先端に近い位置で下から押し当てるように取り付け、
【０００７】天井下のシャフトに取り付けた引張棒支持板と角官に取り付けたコの字形の金物に２本の引張補強棒でボルト止めし、そのボルト止めの結合点で、シャフトと引張補強棒と長尺の不当辺角官は三角形をなす。
【０００８】人体装着具を着けた被介護者を吊り下げたワイヤーはアームの先端の滑車を経てアーム内を通りもう一方の滑車を経て縦長の穴に入り、外径にベアリングを嵌めたシャフト下端でパイプの中心を通りねじれ止めのワイヤー連結部品を経て歩行可能体重軽減水とゴム球の入れられた防水袋を吊り下げている。
【０００９】防水袋の外径より大きい内径をもつ大口径パイプを基礎のベースコンクリートから立ち上げ、大口径パイプ下端からは給水パイプを内部に入れ、家の床ほどの高さで大口径パイプの横に穴をあけ排水パイプを差し込んで溶接し大口径パイプの足元はコンクリートで固められている。
【００１０】人体装着具を着用しベッドに座り、ゴム球の入れられた防水袋に水を入れていくと、ある水量で被介護者は立つ事が出来、その水量に５０００ＣＣを増加した重さを仮に歩行可能体重軽減水とする。
【００１１】人体装着具を着用しベッドに座る状態で、大口径パイプ内に水が充満していれば人は立つ事が出来ず、ベッドの枠板のスイッチを押して自動操作バルブを開くと大口径パイプ内の水はゆるやかな勾配をもつ貯水パイプ内に自然落下し、大口径パイプ内に水がなくなると防水袋は下がりワイヤーで連結された被介護者は立つ事ができる。
【００１２】人体装着具を着用しベッドに座る状態で、ベッド枠板のスイッチを押すと、自動操作バルブは閉まり、他のスイッチを押すとタイマーをセットした揚水ポンプが可動し貯水パイプ内の水は大口径パイプ内に充満し、給水パイプないに取り付けた逆自弁により充満した水は安定し、防水袋は体重軽減水の重さとゴム球の浮力で大口径パイプ内を上下しなくなり被介護者は装着具をはずせる。
【００１３】ベッドの枠板や便器の近くや車椅子置き場の近くや洗面台の近くや浴室内等に各所にスイッチをとりつける。
【００１４】上述したように本発明の介護リフトは電動で歩行可能体重軽減重量を発生し、又消滅する事も出来、介護者の負担が少なくなり、日々の生活がリハビリにつながる。
【００１５】歩行可能体重軽減水量をグラフに表し水量の増減は医師の指導のもとに行い健康管理に効果が期待できる。
【発明を実施するための最良の形態】
【００１６】以下、本発明の実施の形態を図１〜図６に基にして説明する。【００１７】図においては、家の梁１３に取り付けた金物１４にベアリング台座１４Ａをボルト止めしそのベアリングにシャフトの上端１８Ｅを嵌めこみ、天井の少し下の位置でシャフトに板穴９Ａにシャフトを入れて引張棒保持板９を固定し中ほどに縦長の穴１８Ｂのある短尺パイプ１８Ａの内径にシャフト下端を少し差しこみ溶接し、両端が開口された短尺で不当辺角官１６Ａの端１６℃で縦長の穴１８Ｂを塞ぐように溶接し、短尺パイプ下端外径にベアリング台座１４ＡＷを嵌めこみ、シャフト心を中心とする矢倉４をベースコンクリート２から組あげて矢倉４の上端に架かる梁１９にシャフト下端のベアリング台座１４ＡＷをボルト止めしシャフト上端と下端は家の梁１３矢倉の梁１９で強固に固定されベアリングで回転が自在になる。【００１８】両端開口部から少しはみ出るように滑車２１が取り付けられた長尺で不当辺角官１６を短尺で不当辺角官に滑車２１が当たる手前まで差し入れ両角官をボルトで貫通し止める。【００１９】長尺で不当辺角官の先端よりで角官の外寸法と重なるコの字形の金物２０を角官の下から重ねて止め、その金物２０と引張棒支持板をつなぐ２本の引張補強棒１５の貫通ボルトを結合点にして、シャフト１８とアーム１６と引張補強棒１５が三角形になる。【００２０】防水水袋１０はゴム球１１と歩行可能体重軽減水１０Ａが入れられており、ハトメ金具１２Ｆの穴に２本の紐１２Ｄを通しはしをだんご結び１２Ｆをして紐のなかほどは連結金物１２の下端に横から貫通するボルト１２℃にかける、上端にワイヤーの通し穴１７Ｂをもち下端にベアリングが固定された連結ぼう１２Ａはベアリングを介して連結金物と繋がりアームの回転によるわずかなワイヤーのねじれを防水袋に伝えない。【００２１】人体装着具を装着した被介護者を吊り上げるワイヤー１７はアーム先端の滑車２１を経てアーム１６の中を通り他方の滑車を経て縦長の穴１８Ｂに入りベアリング穴の中心を下がり、連結棒１２Ａに固定され、ベアリングを介して連結金物１２が繋がり紐１２Ｄを経て防水袋は吊り下げられている。【００２２】被介護者がベッドに座る状態でゴム球だけが中にある防水袋に水を入れていくとある水量で立つ事が出来、座る事も出来、歩く事も出来る水量に５０００℃℃の水を足して歩行可能体重軽減推量とする。【００２３】防水袋の外径より内径が大きい大口径パイプ５はベースコンクリート２から立ち上げ大口径パイプ下端からは給水パイプ８Ａを内部に入れ家の床３ほどの高さで大口径パイプの横に穴をあけ排水パイプ８Ｂを溶接し大口径パイプの足元はコンクリート２Ａでかためている。【００２４】人体装着具２２を着用しベッド２４に座る状態で、大口径パイプ５内に水が充満していれば人は立つ事が出来ず、ベッドの枠板のボタン２３を押すと大口径パイプ５内の水は排水パイプ８Ｂに繋がれた自動操作バルブ７が開き、ゆるやかな勾配を有する貯水パイプ８内に落下し歩行可能体重軽減水１０Ａの重みでワイヤーで連結され天秤になる被介護者は立ち上がり、座り、歩ける。【００２５】人体装着具２２を着用しベッドに座る状態で、大口径パイプ５内に水が無く、自動操作バルブ７が閉まり、貯水パイプ８の水をタイマー付揚水ポンプ６で大口径パイプ５内に送り込み、給水パイプ８Ａに取り付けた逆自弁６Ａで大口径パイプ５内の水は安定し防水袋１０は歩行可能体重軽減水１０Ａの重さとゴム球１１の浮力で上下せず被介護者は人体装着具をはずせる。【００２６】  床ほどの高さにある自動操作バルブ７からベースコンクリート地盤にあるタイマー付揚水ポンプ６迄の貯水パイプ８は大回りしてゆるやかな勾配をもつ。
【図面の簡単な説明】
【００２７】
【図１】  左方は大口径パイプ内に水の無い断面図で右方は大口径パイプ内に水が充たされた断面図と透視図です
【図２】  リフトの部品の透視図です。
【図３】  リフト部品を組み立てた透視図です
【図４】  人体着用具と人が着用した状態と防水袋を吊るワイヤー迄の部品の透視図
【図５】  ベースから立ち上がる矢倉と大口径パイプと防水袋と配管の透視図
【図６】  リハビリ介護ルームの透視図
【符号の説明】
【００２８】１        天井
２        ベースコンクリート
２Ａ      栗石
３        床
４        矢倉の骨組み
５        大口径パイプ
６        揚水ポンプ
６Ａ      逆自弁
７        自動操作バルブ
８        貯水パイプ
８Ａ      給水パイプ
８Ｂ      排水パイプ
９        引張棒支持板
１０      防水袋
１０Ａ    歩行可能体重軽減水
１１      ゴム球
１２      連結金物
１２Ａ    連結棒
１２Ｂ    ベアリング
１３      家の梁
１４      梁とベアリング台座取り付け金物
１４Ａ    シャフト上端に嵌めるベアリング台座
１４ＡＷ  シャフト下端に嵌めるベアリング台座
１５      アームを斜めに引き上げる補強棒
１６      長尺で不当辺角官のアーム
１６Ａ    アームの外径と同寸の内径をもつ短尺の不当辺角官
１６Ｂ    短尺の不当辺角官の開口部
１７      ワイヤー
１８      シャフト
１８Ａ    シャフト外径と同寸の内径をもつ短尺のパイプ
１８Ｂ    短尺パイプの縦長の穴
１９      シャフト下端のベアリング台座を支えて固定する矢倉骨組に載せる梁
２０      アームを斜めに引き上げる補強棒とアーム１６を連結する金物
２１      アームの両端開口部にある滑車
２２      人体装着具
２３      自動操作バルブや揚水ポンプのスイッチの位置
２４      ベッド    ２５  便器    ２６  カーテン    ２７  車椅子    ２８押入れ
【図１】
2008110186.tif 000003
【図２】
2008110186.tif 000004
【図３】
2008110186.tif 000005
【図４】
2008110186.tif 000006
【図５】
2008110186.tif 000007
【図６】
2008110186.tif 000008